(57)【特許請求の範囲】
【請求項１】
電子機器と、
サーバーと
を備え、
前記電子機器は、
撮像デバイスと、
表示デバイスと、
前記撮像デバイスによる撮影画像を取得する撮影画像取得手段と、
前記表示デバイスによる表示を制御する表示制御手段と
を備え、
前記サーバーは、前記表示デバイスに表示される付加情報に関連する付加情報関連データを記憶し、
前記付加情報関連データは、
前記付加情報の画像データと、
前記付加情報の識別情報に対応付けられた特定の条件を示す付加条件データと
を含み、
前記表示制御手段は、前記識別情報が印刷された記録媒体が前記撮影画像取得手段によって取得された前記撮影画像に含まれる場合に、前記撮影画像に含まれる前記識別情報に対応する前記付加情報関連データを前記サーバーから取得し、
前記表示制御手段は、前記サーバーから取得した前記付加情報関連データに含まれる前記付加条件データによって示される前記特定の条件を満たすか否かを判断し、
前記表示制御手段は、前記撮影画像に含まれる前記識別情報に対応付けられた前記特定の条件を満たすと判断した場合に、前記サーバーから取得した前記付加情報関連データに含まれる前記画像データによって示される前記付加情報を前記撮影画像における前記記録媒体上に合成した合成画像を前記表示デバイスに表示させることを特徴とする文書閲覧システム。
【請求項２】
前記識別情報は、前記識別情報に対応する前記付加情報関連データの場所を示しており、
前記表示制御手段は、前記識別情報が印刷された前記記録媒体が前記撮影画像取得手段によって取得された前記撮影画像に含まれる場合に、前記撮影画像に含まれる前記識別情報が示す場所にアクセスして前記付加情報関連データを前記サーバーから取得することを特徴とする請求項１に記載の文書閲覧システム。
【請求項３】
前記表示制御手段は、前記撮影画像に含まれる前記識別情報に対応付けられた前記特定の条件を満たさないと判断している間、前記撮影画像をそのまま前記表示デバイスに表示させることを特徴とする請求項１または請求項２に記載の文書閲覧システム。
【請求項４】
前記付加情報関連データは、前記付加情報が付加される前記記録媒体上の位置を示す媒体上位置データを含み、
前記表示制御手段は、前記合成画像を前記表示デバイスに表示させる場合に、前記撮影画像における前記記録媒体のうち、前記サーバーから取得した前記付加情報関連データに含まれる前記媒体上位置データにおいて示される位置に前記付加情報を合成することを特徴とする請求項１から請求項３までの何れかに記載の文書閲覧システム。
【請求項５】
前記特定の条件は、前記電子機器の位置の条件を含むことを特徴とする請求項１から請求項４までの何れかに記載の文書閲覧システム。
【請求項６】
前記特定の条件は、前記電子機器の利用者の条件を含むことを特徴とする請求項１から請求項５までの何れかに記載の文書閲覧システム。
【請求項７】
前記特定の条件は、時間の条件を含むことを特徴とする請求項１から請求項６までの何れかに記載の文書閲覧システム。
【請求項８】
撮像デバイスと、
表示デバイスと、
前記撮像デバイスによる撮影画像を取得する撮影画像取得手段と、
前記表示デバイスによる表示を制御する表示制御手段と
を備え、
前記表示制御手段は、前記表示デバイスに表示する付加情報の識別情報が印刷された記録媒体が前記撮影画像取得手段によって取得された前記撮影画像に含まれる場合に、前記付加情報に関連する付加情報関連データのうち、前記撮影画像に含まれる前記識別情報に対応する前記付加情報関連データをサーバーから取得し、
前記付加情報関連データは、
前記付加情報の画像データと、
前記識別情報に対応付けられた特定の条件を示す付加条件データと
を含み、
前記表示制御手段は、前記サーバーから取得した前記付加情報関連データに含まれる前記付加条件データによって示される前記特定の条件を満たすか否かを判断し、
前記表示制御手段は、前記撮影画像に含まれる前記識別情報に対応付けられた前記特定の条件を満たすと判断した場合に、前記サーバーから取得した前記付加情報関連データに含まれる前記画像データによって示される前記付加情報を前記撮影画像における前記記録媒体上に合成した合成画像を前記表示デバイスに表示させることを特徴とする電子機器。
【請求項９】
撮像デバイスおよび表示デバイスを備える電子機器によって実行される文書閲覧プログラムであって、
前記撮像デバイスによる撮影画像を取得する撮影画像取得手段、および、
前記表示デバイスによる表示を制御する表示制御手段として前記電子機器を機能させ、
前記表示制御手段は、前記表示デバイスに表示する付加情報の識別情報が印刷された記録媒体が前記撮影画像取得手段によって取得された前記撮影画像に含まれる場合に、前記付加情報に関連する付加情報関連データのうち、前記撮影画像に含まれる前記識別情報に対応する前記付加情報関連データをサーバーから取得し、
前記付加情報関連データは、
前記付加情報の画像データと、
前記識別情報に対応付けられた特定の条件を示す付加条件データと
を含み、
前記表示制御手段は、前記サーバーから取得した前記付加情報関連データに含まれる前記付加条件データによって示される前記特定の条件を満たすか否かを判断し、
前記表示制御手段は、前記撮影画像に含まれる前記識別情報に対応付けられた前記特定の条件を満たすと判断した場合に、前記サーバーから取得した前記付加情報関連データに含まれる前記画像データによって示される前記付加情報を前記撮影画像における前記記録媒体上に合成した合成画像を前記表示デバイスに表示させることを特徴とする文書閲覧プログラム。
【発明の詳細な説明】
【技術分野】
【０００１】
本発明は、撮像デバイスによる撮影画像に付加情報を合成した合成画像を表示デバイスに表示させるＡＲ（Ａｕｇｍｅｎｔｅｄ  Ｒｅａｌｉｔｙ）技術を実現する文書閲覧システムおよび文書閲覧プログラムに関する。
【背景技術】
【０００２】
従来、付加情報の識別情報が印刷された記録媒体が撮像デバイスによって取得された撮影画像に含まれる場合に、この識別情報によって識別される付加情報を、撮影画像における記録媒体上に合成した合成画像を表示デバイスに表示させる電子機器が知られている（特許文献１参照。）。
【先行技術文献】
【特許文献】
【０００３】
【特許文献１】特開２０１３−０２６９２２号公報
【発明の概要】
【発明が解決しようとする課題】
【０００４】
しかしながら、従来の電子機器においては、付加情報の識別情報が印刷された記録媒体が撮像デバイスによって取得された撮影画像に含まれれば、この識別情報によって識別される付加情報を、撮影画像における記録媒体上に合成した合成画像を表示デバイスに表示させるので、付加情報の提供者が電子機器の利用者に合成画像を見させることを希望しない場合であっても、この利用者がこの記録媒体をこの電子機器の撮像デバイスによって撮影しさえすれば、合成画像が見られてしまうという問題がある。
【０００５】
そこで、本発明は、撮像デバイスによる撮影画像に付加情報を合成した合成画像を表示デバイスに表示させる場合に制限を加えることができる文書閲覧システムおよび文書閲覧プログラムを提供することを目的とする。
【課題を解決するための手段】
【０００６】
本発明の文書閲覧システムは、撮像デバイスおよび表示デバイスを備える電子機器と、前記撮像デバイスによる撮影画像を取得する撮影画像取得手段と、前記表示デバイスによる表示を制御する表示制御手段とを備え、前記表示制御手段は、付加情報の識別情報が印刷された記録媒体が前記撮影画像取得手段によって取得された撮影画像に含まれる場合に、前記識別情報に対応付けられた特定の条件を満たすとき、前記撮影画像における前記記録媒体上に前記付加情報を合成した合成画像を前記表示デバイスに表示させることを特徴とする。
【０００７】
この構成により、本発明の文書閲覧システムは、付加情報の識別情報が印刷された記録媒体が撮像デバイスによる撮影画像に含まれる場合に、識別情報に対応付けられた特定の条件を満たすとき、撮影画像における記録媒体上に識別情報に対応する付加情報を合成した合成画像を表示デバイスに表示させるので、合成画像を表示デバイスに表示させる場合に制限を加えることができる。
【０００８】
また、本発明の文書閲覧システムにおいて、前記特定の条件は、前記電子機器の位置の条件を含んでも良い。
【０００９】
この構成により、本発明の文書閲覧システムは、電子機器が特定の位置に存在している場合にのみ、合成画像を表示デバイスに表示させることができる。
【００１０】
また、本発明の文書閲覧システムにおいて、前記特定の条件は、前記電子機器の利用者の条件を含んでも良い。
【００１１】
この構成により、本発明の文書閲覧システムは、電子機器が特定の利用者に利用されている場合にのみ、合成画像を表示デバイスに表示させることができる。
【００１２】
また、本発明の文書閲覧システムにおいて、前記特定の条件は、時間の条件を含んでも良い。
【００１３】
この構成により、本発明の文書閲覧システムは、現在の時間が特定の時間である場合にのみ、合成画像を表示デバイスに表示させることができる。
【００１４】
本発明の文書閲覧プログラムは、撮像デバイスおよび表示デバイスを備える電子機器によって実行される文書閲覧プログラムであって、前記撮像デバイスによる撮影画像を取得する撮影画像取得手段、および、前記表示デバイスによる表示を制御する表示制御手段として前記電子機器を機能させ、前記表示制御手段は、付加情報の識別情報が印刷された記録媒体が前記撮影画像取得手段によって取得された撮影画像に含まれる場合に、前記識別情報に対応付けられた特定の条件を満たすとき、前記撮影画像における前記記録媒体上に前記付加情報を合成した合成画像を前記表示デバイスに表示させることを特徴とする。
【００１５】
この構成により、本発明の文書閲覧プログラムは、付加情報の識別情報が印刷された記録媒体が撮像デバイスによる撮影画像に含まれる場合に、識別情報に対応付けられた特定の条件を満たすとき、撮影画像における記録媒体上に識別情報に対応する付加情報を合成した合成画像を表示デバイスに表示させるので、合成画像を表示デバイスに表示させる場合に制限を加えることができる。
【発明の効果】
【００１６】
本発明の文書閲覧システムおよび文書閲覧プログラムは、撮像デバイスによる撮影画像に付加情報を合成した合成画像を表示デバイスに表示させる場合に制限を加えることができる。
【図面の簡単な説明】
【００１７】
【図１】本発明の一実施の形態に係る文書管理システムのブロック図である。
【図２】図１に示す文書登録システムによって作成された印刷物の一例を示す図である。
【図３】図１に示すサーバーのブロック図である。
【図４】図３に示す付加条件データの一例を示す図である。
【図５】図１に示す文書閲覧装置のブロック図である。
【図６】図３に示すサーバーに登録される文書の一例を示す図である。
【図７】文書を閲覧する場合の図５に示す文書閲覧装置の動作のフローチャートである。
【図８】撮影画像をそのまま表示させている状態での図５に示す文書閲覧装置の正面図の一例である。
【図９】撮影画像における記録媒体上に付加情報を合成した合成画像を表示させている状態での図５に示す文書閲覧装置の正面図の一例である。
【発明を実施するための形態】
【００１８】
以下、本発明の一実施の形態について、図面を用いて説明する。
【００１９】
まず、本実施の形態に係る文書管理システム１０の構成について説明する。
【００２０】
図１は、本実施の形態に係る文書管理システム１０のブロック図である。
【００２１】
図１に示すように、文書管理システム１０は、文書を登録するための文書登録システム２０と、文書登録システム２０に登録された文書を閲覧するための文書閲覧システム６０とを備えている。
【００２２】
文書登録システム２０は、文書を管理する例えばＰＣ（Ｐｅｒｓｏｎａｌ  Ｃｏｍｐｕｔｅｒ）などのサーバー３０と、文書をサーバー３０に登録するための例えばＰＣなどの文書登録装置４０と、印刷物８０（図２参照。）を生成するための例えばプリンター専用機、ＭＦＰ（Ｍｕｌｔｉｆｕｎｃｔｉｏｎ  Ｐｅｒｉｐｈｅｒａｌ）などの画像形成装置５０とを備えている。サーバー３０、文書登録装置４０および画像形成装置５０は、ＬＡＮ（Ｌｏｃａｌ  Ａｒｅａ  Ｎｅｔｗｏｒｋ）、インターネットなどのネットワーク１１を介して互いに通信可能に接続されている。
【００２３】
図２は、文書登録システム２０によって作成された印刷物８０の一例を示す図である。
【００２４】
図２に示すように、文書登録システム２０によって作成された印刷物８０は、用紙などの記録媒体８１に、「売上」という文字８２と、ＡＲ技術によって付加される付加情報の識別情報としてのＡＲマーカー８３とが印刷されている。ＡＲマーカー８３は、例えば、二次元コードである。
【００２５】
図１に示すように、文書閲覧システム６０は、文書登録システム２０の構成の一部でもあるサーバー３０と、サーバー３０に登録された文書を閲覧するための例えばスマートフォン、タブレットなどの電子機器としての文書閲覧装置７０とを備えている。サーバー３０および文書閲覧装置７０は、ネットワーク１１を介して互いに通信可能に接続されている。
【００２６】
図３は、サーバー３０のブロック図である。
【００２７】
図３に示すように、サーバー３０は、種々の操作が入力されるマウス、キーボードなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、ネットワーク１１（図１参照。）経由で外部の装置と通信を行う通信デバイスである通信部３３と、各種のデータを記憶しているＨＤＤ（Ｈａｒｄ  Ｄｉｓｋ  Ｄｒｉｖｅ）などの記憶デバイスである記憶部３４と、サーバー３０全体を制御する制御部３５とを備えている。
【００２８】
記憶部３４は、文書データ３４ａを文書毎に記憶している。文書データ３４ａは、記録媒体８１（図２参照。）に印刷されるための印刷データ３４ｂと、ＡＲ技術によって記録媒体８１に付加される付加情報に関連する付加情報関連データ３４ｃとを含んでいる。付加情報関連データ３４ｃは、付加情報の画像データ３４ｄと、付加情報が付加される記録媒体８１上の位置を示す媒体上位置データ３４ｅと、付加情報が記録媒体８１に付加される条件を示す付加条件データ３４ｆとを含んでいる。
【００２９】
図４は、付加条件データ３４ｆの一例を示す図である。
【００３０】
図４に示すように、付加条件データ３４ｆは、付加情報を要求してきた電子機器の位置の条件（以下「位置条件」と言う。）と、付加情報を要求してきた電子機器の利用者の条件（以下「利用者条件」と言う。）と、時間の条件（以下「時間条件」と言う。）とを含んでいる。
【００３１】
位置条件は、例えば、「会社の敷地内」、「会議室内」などである。位置条件は、例えば、緯度や経度によって特定されることが可能である。
【００３２】
利用者条件は、例えば、「部長職以上の者」などである。利用者条件は、例えば、利用者の識別情報によって特定されることが可能である。
【００３３】
時間条件は、例えば、「２０１３年８月２３日〜２０１３年８月３０日」などである。
【００３４】
図３に示す制御部３５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３４に記憶されているプログラムを実行するようになっている。
【００３５】
図５は、文書閲覧装置７０のブロック図である。
【００３６】
図５に示すように、文書閲覧装置７０は、種々の操作が入力されるボタンなどの入力デバイスである操作部７１と、種々の情報を表示するＬＣＤなどの表示デバイスである表示部７２と、文書閲覧装置７０の位置情報を取得する例えばＧＰＳ（Ｇｌｏｂａｌ  Ｐｏｓｉｔｉｏｎｉｎｇ  Ｓｙｓｔｅｍ）受信機などの位置情報取得部７３と、静止画または動画を撮影する撮像デバイスである撮像部７４と、ネットワーク１１（図１参照。）経由で外部の装置と通信を行う通信デバイスである通信部７５と、プログラムおよび各種のデータを記憶しているＨＤＤなどの記憶デバイスである記憶部７６と、文書閲覧装置７０全体を制御する制御部７７とを備えている。
【００３７】
操作部７１は、表示部７２とともにタッチパネルを形成する入力デバイスを含んでいても良い。
【００３８】
記憶部７６は、制御部７７によって実行される文書閲覧プログラム７６ａを記憶している。
【００３９】
制御部７７は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部７６に記憶されているプログラムを実行するようになっている。
【００４０】
制御部７７は、記憶部７６に記憶されている文書閲覧プログラム７６ａを実行することによって、撮像部７４による撮影画像を取得する撮影画像取得手段７７ａ、および、表示部７２による表示を制御する表示制御手段７７ｂとして機能する。
【００４１】
次に、文書管理システム１０の動作について説明する。
【００４２】
まず、文書を登録する場合の文書登録システム２０の動作について説明する。
【００４３】
文書登録装置４０は、図示していない操作部を介した指示に応じて、例えば図６に示す文書９０に対応する文書データ３４ａをネットワーク１１を介してサーバー３０に登録する。
【００４４】
図６に示す文書９０には、「売上」という文字９１と、表９２とが含まれている。文書登録装置４０に文書９０の登録を指示する文書登録者は、文書９０のうち例えば表９２を付加情報として指定することが可能である。また、文書登録者は、付加条件データ３４ｆを指定することも可能である。
【００４５】
サーバー３０の制御部３５は、通信部３３を介した文書登録装置４０からの指示に応じて、文書データ３４ａを記憶部３４に記憶させる。
【００４６】
次に、印刷物８０を作成する場合の文書登録システム２０の動作について説明する。
【００４７】
文書登録装置４０は、図示していない操作部を介した指示に応じて、例えば図６に示す文書９０に対応する文書データ３４ａに基づいた印刷をネットワーク１１を介してサーバー３０に指示する。
【００４８】
サーバー３０の制御部３５は、通信部３３を介した文書登録装置４０からの指示に応じて、図６に示す文書９０に対応する文書データ３４ａの印刷データ３４ｂに基づいて画像形成装置５０に図２に示す印刷物８０を印刷させる。
【００４９】
次に、文書を閲覧する場合の文書閲覧システム６０の動作について説明する。
【００５０】
図７は、文書を閲覧する場合の文書閲覧装置７０の動作のフローチャートである。
【００５１】
文書閲覧装置７０の制御部７７は、操作部７１を介して特定の操作が入力されると、文書閲覧プログラム７６ａを実行することによって、図７に示すように動作する。
【００５２】
図７に示すように、制御部７７の撮影画像取得手段７７ａは、図２に示すようなＡＲマーカー８３が印刷された記録媒体８１が含まれる撮影画像を取得したか否かを判断する（Ｓ１０１）。
【００５３】
表示制御手段７７ｂは、ＡＲマーカー８３が印刷された記録媒体８１が含まれる撮影画像を取得しなかったとＳ１０１において判断されると、撮影画像をそのまま表示部７２に表示させて（Ｓ１０２）、Ｓ１０１の処理に戻す。
【００５４】
表示制御手段７７ｂは、ＡＲマーカー８３が印刷された記録媒体８１が含まれる撮影画像を取得したとＳ１０１において判断されると、ＡＲマーカー８３を特定の規則で解釈することによって、ＡＲマーカー８３に含まれているＵＲＬ（Ｕｎｉｆｏｒｍ  Ｒｅｓｏｕｒｃｅ  Ｌｏｃａｔｏｒ）を取得する（Ｓ１０３）。ここで、このＵＲＬは、サーバー３０のうち、ＡＲマーカー８３に対応する付加情報関連データ３４ｃの場所を示している。
【００５５】
次いで、表示制御手段７７ｂは、Ｓ１０３において取得したＵＲＬに通信部７５を介してアクセスして、ＵＲＬによって特定される付加情報関連データ３４ｃをサーバー３０から受信する（Ｓ１０４）。
【００５６】
次いで、表示制御手段７７ｂは、位置情報取得部７３によって取得した位置情報がＳ１０４において受信した付加情報関連データ３４ｃの付加条件データ３４ｆにおける位置条件を満たしているか否かを判断する（Ｓ１０５）。なお、表示制御手段７７ｂは、付加条件データ３４ｆにおいて位置条件が設定されていない場合には、付加条件データ３４ｆにおける位置条件を満たしているとＳ１０５において判断する。
【００５７】
表示制御手段７７ｂは、位置条件を満たしているとＳ１０５において判断すると、ログイン中の利用者の識別情報がＳ１０４において受信した付加情報関連データ３４ｃの付加条件データ３４ｆにおける利用者条件を満たしているか否かを判断する（Ｓ１０６）。なお、表示制御手段７７ｂは、付加条件データ３４ｆにおいて利用者条件が設定されていない場合には、付加条件データ３４ｆにおける利用者条件を満たしているとＳ１０６において判断する。
【００５８】
表示制御手段７７ｂは、利用者条件を満たしているとＳ１０６において判断すると、現在の時間がＳ１０４において受信した付加情報関連データ３４ｃの付加条件データ３４ｆにおける時間条件を満たしているか否かを判断する（Ｓ１０７）。なお、表示制御手段７７ｂは、付加条件データ３４ｆにおいて時間条件が設定されていない場合には、付加条件データ３４ｆにおける時間条件を満たしているとＳ１０７において判断する。
【００５９】
表示制御手段７７ｂは、位置条件を満たしていないとＳ１０５において判断するか、利用者条件を満たしていないとＳ１０６において判断するか、時間条件を満たしていないとＳ１０７において判断すると、撮影画像をそのまま表示部７２に表示させて（Ｓ１０２）、Ｓ１０１の処理に戻す。例えば、図８に示すように、文書閲覧装置７０は、文字８２とＡＲマーカー８３が印刷された記録媒体８１の撮像画像をそのまま表示部７２に表示する。
【００６０】
表示制御手段７７ｂは、時間条件を満たしているとＳ１０７において判断すると、Ｓ１０１において取得された撮影画像における記録媒体８１のうち、Ｓ１０４において受信した付加情報関連データ３４ｃの媒体上位置データ３４ｅにおいて示される位置に、付加情報関連データ３４ｃの画像データ３４ｄによって示される付加情報を合成した合成画像を表示部７２に表示させて（Ｓ１０８）、Ｓ１０１の処理に戻す。例えば、図９に示すように、文書閲覧装置７０は、記録媒体８１の撮像画像に付加情報である表９２を合成した合成画像を表示部７２に表示する。
【００６１】
以上に説明したように、文書閲覧装置７０は、ＡＲマーカー８３が印刷された記録媒体８１が無ければ付加情報を表示部７２に表示させないので、ＡＲマーカー８３が印刷された記録媒体８１を所持している利用者にのみ、付加情報を確認させることができ、セキュリティー性能が高い。
【００６２】
特に、文書閲覧装置７０は、ＡＲマーカー８３が印刷された記録媒体８１が撮像部７４による撮影画像に含まれる場合に（Ｓ１０１でＹＥＳ）、ＡＲマーカー８３に対応付けられた特定の条件を満たすとき（Ｓ１０５でＹＥＳ、Ｓ１０６でＹＥＳおよびＳ１０７でＹＥＳ）、この撮影画像における記録媒体８１上に付加情報を合成した合成画像を表示部７２に表示させる（Ｓ１０８）ので、合成画像を表示部７２に表示させる場合に制限を加えることができる。
【００６３】
具体的には、文書閲覧装置７０は、撮像部７４による撮影画像に含まれる記録媒体８１に印刷されたＡＲマーカー８３に対応付けられた位置条件を満たす場合に（Ｓ１０５でＹＥＳ）、この撮影画像における記録媒体８１上に付加情報を合成した合成画像を表示部７２に表示させる（Ｓ１０８）ので、文書閲覧装置７０が特定の位置に存在している場合にのみ、合成画像を表示部７２に表示させることができる。
【００６４】
また、文書閲覧装置７０は、撮像部７４による撮影画像に含まれる記録媒体８１に印刷されたＡＲマーカー８３に対応付けられた利用者条件を満たす場合に（Ｓ１０６でＹＥＳ）、この撮影画像における記録媒体８１上に付加情報を合成した合成画像を表示部７２に表示させる（Ｓ１０８）ので、文書閲覧装置７０が特定の利用者に利用されている場合にのみ、合成画像を表示部７２に表示させることができる。
【００６５】
また、文書閲覧装置７０は、撮像部７４による撮影画像に含まれる記録媒体８１に印刷されたＡＲマーカー８３に対応付けられた時間条件を満たす場合に（Ｓ１０７でＹＥＳ）、この撮影画像における記録媒体８１上に付加情報を合成した合成画像を表示部７２に表示させる（Ｓ１０８）ので、現在の時間が特定の時間である場合にのみ、合成画像を表示部７２に表示させることができる。
【００６６】
文書閲覧システム６０は、安価な印刷物８０が文書閲覧装置７０の利用者に配布されるだけで、利用者に多くの情報を表示部７２上で提供することができる。例えば、文書閲覧システム６０は、カラーの印刷物より安価なモノクロの印刷物８０が文書閲覧装置７０の利用者に配布されるだけで、利用者にカラーの付加情報を表示部７２上で提供することができる。また、文書閲覧システム６０は、高解像度の印刷物より安価な低解像度の印刷物８０が文書閲覧装置７０の利用者に配布されるだけで、利用者に高解像度の付加情報を表示部７２上で提供することができる。
【００６７】
文書閲覧システム６０は、印刷物８０が作成された後であっても、印刷物８０に含まれるＡＲマーカー８３に対応付けられた付加情報関連データ３４ｃが変更されることによって、利用者に提供する付加情報を更新することが可能である。例えば、文書閲覧システム６０は、日替わりの特価情報などの日々変化する情報を常に最新の状態でリアルタイムに文書閲覧装置７０の利用者に提供することが可能である。
【００６８】
なお、文書閲覧システム６０は、本実施の形態においてサーバー３０を含んでいるが、文書データ３４ａを文書閲覧装置７０が記憶すれば、文書閲覧装置７０のみによって構成されても良い。
【符号の説明】
【００６９】
６０  文書閲覧システム
７０  文書閲覧装置（電子機器）
７２  表示部（表示デバイス）
７４  撮像部（撮像デバイス）
７６ａ  文書閲覧プログラム
７７ａ  撮影画像取得手段
７７ｂ  表示制御手段
８１  記録媒体
８３  ＡＲマーカー（付加情報の識別情報）
９２  表（付加情報）
【図１】
0006038749.tif 000002
【図２】
0006038749.tif 000003
【図３】
0006038749.tif 000004
【図４】
0006038749.tif 000005
【図５】
0006038749.tif 000006
【図６】
0006038749.tif 000007
【図７】
0006038749.tif 000008
【図８】
0006038749.tif 000009
【図９】
0006038749.tif 000010